(57)【要約】【課題】ユーザが電床等に横臥したままの状態であっても、画面表示を確実に視認することができ、容易に操作することのできる電気治療装置を提供する。【解決手段】電位治療装置１は、電位治療装置本体２と、電位治療装置本体２に設けられ、各種画像を表示する画像表示部４と、電位治療装置本体２の鉛直方向に対する傾きを検出する傾斜検出部２８と、傾斜検出部２８からの検出信号に基づいて、画像表示部４に表示されている画像を上下方向に反転して表示する表示切替部１０とを備える。【選択図】図１
2008161217.tif 000002
【特許請求の範囲】
【請求項１】
電気治療装置本体と、
前記電気治療装置本体に設けられた画像表示部と、
前記電気治療装置本体の鉛直方向に対する傾きを検出する傾斜検出部と、
前記傾斜検出部からの検出信号に基づいて、前記画像表示部に表示されている画像を上下方向に反転して表示する表示切替部と
を備えることを特徴とする電気治療装置。
【請求項２】
前記電気治療装置本体の正面側には、上端部から下方に所定角度で傾斜する傾斜面が設けられており、
前記画像表示部が、前記傾斜面に設けられていることを特徴とする請求項１に記載の電気治療装置。
【請求項３】
前記画像表示部の周囲に設けられた、前記電気治療装置における設定を行うための複数の操作ボタンと、
前記傾斜検出部からの検出信号に基づいて、前記複数の操作ボタンのそれぞれの機能を変更するボタン機能変更部と
をさらに備えることを特徴とする請求項１又は２に記載の電気治療装置。
【請求項４】
前記複数の操作ボタンのそれぞれに近接して設けられた、前記操作ボタンの機能を表示するボタン機能表示部と、
前記ボタン機能変更部により前記複数の操作ボタンのそれぞれの機能が変更された場合に、変更された前記複数の操作ボタンのそれぞれの機能に対応するように、前記ボタン機能表示部の表示を変更するボタン表示変更部と
をさらに備えることを特徴とする請求項３に記載の電気治療装置。
【請求項５】
前記ボタン機能表示部は、前記複数の操作ボタンのそれぞれの上部及び下部に設けられており、
前記ボタン表示変更部は、前記ボタン機能変更部により前記複数の操作ボタンの機能が変更された場合に、前記複数の操作ボタンのそれぞれの上部又は下部のボタン機能表示部に表示されていた前記操作ボタンの機能表示を消去するとともに、前記複数の操作ボタンのそれぞれの下部又は上部のボタン機能表示部に、変更された前記操作ボタンの機能を表示することを特徴とする請求項４に記載の電気治療装置。
【発明の詳細な説明】
【技術分野】
【０００１】
本発明は、電気治療装置に関し、特に人体に電位を印加して治療を施す電位治療装置に関するものである。
【背景技術】
【０００２】
従来、電気治療装置としては、人体に交流高圧電位を印加することで、頭痛、肩こり、慢性便秘、不眠症等の治療を行うことのできる電位治療装置、人体に低周波の電流を通電することで、頭痛、肩こり等の治療を行うことのできる低周波治療装置、人体を加温して人体の血行を促進することで、頭痛、肩こり等の治療を行うことのできる温熱治療装置等が知られている。
【０００３】
例えば、図６に示すような電位治療装置２００においては、ＡＣ１００Ｖの交流電源２０１からスイッチＳＷを介してトランス２０２に給電され、トランス２０２で高圧に変換された電圧が、３つの抵抗Ｒ１，Ｒ２，Ｒ３及びダイオードＤにより正負非対称にされて電床２０３に与えられ、電床２０３から人体に対して電位が印加される（特許文献１参照）。
【特許文献１】特開昭５８−１４６３６１号公報
【発明の開示】
【発明が解決しようとする課題】
【０００４】
このような電位治療装置は、その正面側の下方に向かって傾斜する傾斜面に表示画面が設けられており、一般的に、ユーザは、その表示画面を視認しながら電位治療装置の設定等の操作を行うものである。そのため、例えば、ユーザが電床に横臥している状態で電位治療装置を操作する場合には、電位治療装置をその背面側が底面に向くようにして横に倒した方が表示画面を視認しやすいが、電位治療装置をその背面側が底面に向くようにして横に倒すと画面表示が上下反対となってしまう。したがって、横臥したままの状態で電位治療装置を操作することが困難であるという問題があった。特に、このような電位治療装置のユーザが高齢者である場合、電位治療装置を操作するたびに立ち上がらなければならないというのが面倒であるという問題もあった。
【０００５】
特に、温熱治療装置や、電位・温熱治療装置等の電気治療装置を用いた温熱治療においては、ユーザが温熱マットに横臥したまま状態で治療を行うのが一般的であるため、電気治療装置をその背面側が底面を向くようにして横に倒して画面表示が上下反対となってしまうと、電気治療装置の表示画面を視認し難く、電気治療装置の操作が困難であるという問題があった。
【０００６】
本発明は、このような実情に鑑みてなされたものであり、ユーザが電床等に横臥したままの状態であっても、画面表示を容易に確認することができ、容易に操作することのできる電気治療装置を提供することを目的とする。
【課題を解決するための手段】
【０００７】
上記目的を達成するために、本発明は、電気治療装置本体と、前記電気治療装置本体に設けられ、各種画像を表示する画像表示部と、前記電気治療装置本体の鉛直方向に対する傾きを検出する傾斜検出部と、前記傾斜検出部からの検出信号に基づいて、前記画像表示部に表示されている画像を上下方向に反転して表示する表示切替部とを備えることを特徴とする電気治療装置を提供する（請求項１）。
【０００８】
ここで、本発明において「電気治療装置」とは、電位治療、低周波治療、温熱治療等のいずれか１種の治療を行うことのできる治療装置（例えば、電位治療装置、低周波治療装置、又は温熱治療装置）であってもよいし、これらの２種以上の治療を行うことのできる治療装置（例えば、電位・低周波治療装置、電位・温熱治療装置、低周波・温熱治療装置、又は電位・低周波・温熱治療装置）であってもよい。
【０００９】
上記発明（請求項１）によれば、傾斜検出部からの検出信号に基づいて、画像表示部に表示されている画像を上下方向に反転して表示することができるため、横臥した状態で電気治療（例えば、電位治療）を行うにあたり電気治療装置本体をその背面側が底面に向くようにして横に倒したときに、画像表示部に表示されている画像が上下方向に反転して表示されるため、当該画像を容易に視認することができる。また、一般に、画像表示部に表示された画像に基づいて、電気治療装置の操作等を行うため、画像表示部に表示されている画像が上下方向に反転して表示されることで、電床等に横臥したままの状態でも容易に電気治療装置を操作することができる。
【００１０】
上記発明（請求項１）においては、前記電気治療装置本体の正面側には、上端部から下端部の方向に所定角度で傾斜する傾斜面が設けられており、前記画像表示部が、前記傾斜面に設けられていることが好ましい（請求項２）。
【００１１】
上記発明（請求項２）によれば、電気治療装置本体の前面側に、上端部から下方に所定角度で傾斜する傾斜面が設けられ、かかる傾斜面に画像表示部が設けられていることから、電気治療装置本体をその背面側が底面に向くようにして横に倒した状態のときに、例えば電床等にユーザが横臥したままの状態であっても画像表示部に表示されている画像を容易に視認することができる。
【００１２】
上記発明（請求項１，２）においては、前記画像表示部の周囲には、前記電気治療装置における各種設定を行うための複数の操作ボタンが設けられており、前記傾斜検出部からの検出信号に基づいて、前記複数の操作ボタンのそれぞれの機能を変更することが好ましい（請求項３）。
【００１３】
ユーザは、電気治療装置における各種設定を行うための複数の操作ボタンの画面表示部に対する相対的な位置によりその操作ボタンの機能を記憶していることが一般的であるため、電気治療装置をその背面側が底面に向くようにして横に倒し、画面表示が上下反転されると、立位状態の電気治療装置における各操作ボタンの画面表示部に対する相対的な位置と、横に倒した状態の電気治療装置における各操作ボタンの画面表示部に対する相対的な位置とが逆になり、各操作ボタンの操作ミスが生じてしまう。しかしながら、上記発明（請求項３）によれば、傾斜検出部からの検出信号に基づいて、操作ボタンの機能を変更することができるため、通常の立位状態の電気治療装置における各操作ボタンの位置と横に倒した状態の電気治療装置における各操作ボタンの位置とを合わせることができ、電気治療装置を横に倒した状態であっても、立位状態と同様の操作性を確保することができる。
【００１４】
上記発明（請求項３）においては、前記複数の操作ボタンのそれぞれに近接して設けられた、前記操作ボタンの機能を表示するボタン機能表示部と、前記ボタン機能変更部により前記複数の操作ボタンのそれぞれの機能が変更された場合に、前記ボタン機能表示部の表示を変更するボタン表示変更部とをさらに備えることが好ましい（請求項４）。
【００１５】
上記発明（請求項４）によれば、立位状態の電気治療装置をその背面側が底面に向くようにして横に倒したり、横に倒している状態の電気治療装置を立てたりして各操作ボタンの機能が変更された場合であっても、ユーザが変更された各操作ボタンの機能を容易に理解することができる。
【００１６】
上記発明（請求項４）においては、前記ボタン機能表示部は、前記複数の操作ボタンのそれぞれに上部及び下部に設けられており、前記ボタン表示変更部は、前記ボタン機能変更部により前記複数の操作ボタンの機能が変更された場合に、前記複数の操作ボタンのそれぞれの上部又は下部のボタン機能表示部に表示されていた前記操作ボタンの機能表示を消去するとともに、前記複数の操作ボタンのそれぞれの下部又は上部のボタン機能表示部に、変更された前記操作ボタンの機能を表示することが好ましい（請求項５）。
【００１７】
上記発明（請求項５）によれば、電気治療装置を立てた状態であっても、その背面側が底面に向くようにして横に倒した状態であっても、常に複数の操作ボタンの機能が各操作ボタンの上部又は下部のボタン機能表示部に表示されることになるため、ユーザが各操作ボタンの機能を容易に把握することができ、電気治療装置の操作性を優れたものとすることができる。
【発明の効果】
【００１８】
本発明によれば、ユーザが電床等に横臥したままの状態であっても、画面表示を容易に確認することができ、容易に操作することのできる電気治療装置を提供することができる。
【発明を実施するための最良の形態】
【００１９】
以下、本発明の一実施形態に係る電気治療装置を図面に基づいて説明する。なお、本実施形態においては、電気治療装置として電位治療を行うことのできる電位治療装置を例示して説明するが、本発明はこれに限定されるものではない。
【００２０】
図１は、本実施形態に係る電位治療装置を示す斜視図であり、図２は、本実施形態に係る電位治療装置の内部構造を示すブロック図であり、図３は、本実施形態に係る電位治療装置における制御部の構造を示すブロック図であり、図４は、本実施形態に係る電位治療装置における画面表示反転処理を示すフローチャートであり、図５は、本実施形態に係る電位治療装置における表示画面を示す概略図である。
【００２１】
図１に示すように、本実施形態に係る電位治療装置１は、電位治療装置本体２と、電床と、電床と電位治療装置１とを電気的に接続するプラグコードとを備える。
【００２２】
電位治療装置本体２は、その正面側の上部から下方に向けて傾斜面３を有する略直方体形状をなしており、かかる傾斜面３には、液晶ディスプレイ４が設けられている。電位治療装置本体２の正面側に設けた傾斜面３に液晶ディスプレイ４を配置することで、電位治療装置１を立てた状態であっても、電位治療装置１の背面側が底面に向くようにして横に倒した状態であっても、液晶ディスプレイ４を確実に視認しやくすなっている。
【００２３】
液晶ディスプレイ４の左側及び右側には、電位治療装置１の各種設定等を行うための複数の操作ボタン（本実施形態においては左右３つずつ）５と、各操作ボタン５の上側及び下側に各操作ボタン５の機能を表示する機能表示部６とが設けられている。
【００２４】
本実施形態に係る電位治療装置１の内部構造について説明する。
図２に示すように、本実施形態に係る電位治療装置１は、制御部１０と、制御部１０に接続される操作部１１、タイマー１２、受信部１３、音声ＩＣ１４及び画像ＩＣ１５と、音声ＩＣ１４に接続されるスピーカ１４１と、画像ＩＣ１５に接続される液晶ディスプレイ（ＬＣＤ，Liquid Crystal Display）４と、制御部１０に接続される正弦波発生器（ＬＰＦ，Low Pass Filter）１６と、正弦波発生器１６及び制御部１０に接続される可変抵抗器１７と、正弦波発生器１６及び可変抵抗器１７を介して制御部１０に接続される増幅器１８と、増幅器１８にスイッチ１９を介して接続される第１のトランス２０及び第２のトランス２１と、第１のトランス２０及び第２のトランス２１のそれぞれに接続される第１のコネクタ２２及び第２のコネクタ２３と、第１のコネクタ２２及び第２のコネクタ２３のそれぞれに接続される第１のセンサ２４及び第２のセンサ２５と、第１のコネクタ２２に接続される電床２６と、第２のコネクタ２３に接続される電位治療用プローブ２７と、制御部１０に接続される傾きセンサ２８とを備えている。
【００２５】
図３に示すように、制御部１０は、ＣＰＵ１０１、主記憶装置１０２及び補助記憶装置１０３から構成される。主記憶装置１０２は、出力電圧及び当該電圧の出力時間を制御する制御プログラム、電位治療装置１を作動させるための作動プログラム、液晶ディスプレイ４に表示された画面を反転表示させるための指示プログラム等を記憶する。
【００２６】
ＣＰＵ１０１は、主記憶装置１０２に記憶されているプログラムに従って、電位治療装置１に設けられた各構成要素との間で信号の入出力を行う。また、ＣＰＵ１０１は、主記憶装置１０２に記憶されている制御プログラムに従って、電圧制御データ及び時間制御データを生成したり、主記憶装置１０２に記憶されている指示プログラムに従って、液晶ディスプレイ４に表示する画像を反転させるための反転画像生成信号を画像ＩＣ１５に送信したりする。また、ＣＰＵ１０１は、電圧制御データ及び時間制御データに基づいて、可変抵抗器１７を制御する。
【００２７】
補助記憶装置１０３は、例えば、不揮発メモリ等により構成されており、ＣＰＵ１０１により生成された電圧制御データと時間制御データとを関連付けて記憶する。
【００２８】
正弦波発生器１６は、制御部１０（ＣＰＵ１０１）からの制御信号に基づいて、所定の周波数を有する正弦波を発生させる。
【００２９】
可変抵抗器１７は、制御部１０（ＣＰＵ１０１）からの制御信号に基づいて、出力電圧を調整する。可変抵抗器１７は、正弦波発生器１６より発振された正弦波を所定の出力電圧に調整する。可変抵抗器１７は、出力電圧を０〜１５Ｖの範囲で調整する。
【００３０】
増幅器１８は、入力電圧を増幅して出力する。具体的には、増幅器１８は、入力電圧を０〜６０Ｖの範囲で増幅して出力する。
【００３１】
第１のトランス２０及び第２のトランス２１は、入力電圧を変換（昇圧又は降圧）して出力する。第１のトランス２０は、入力電圧を０〜９０００Ｖの範囲で変換して出力し、第２のトランス２１は、入力電圧を０〜１６００Ｖの範囲で変換して出力する。
【００３２】
第１のコネクタ２２は、電床２６のプラグが挿入されるコネクタであり、第１のコネクタ２２に接続されている第１のセンサ２４は、第１のコネクタ２２に電床２６のプラグが挿入されたことを検知し、制御部１０に第１の検知信号を送信する。
【００３３】
第２のコネクタ２３は、電位治療用プローブ２７のプラグが挿入されるコネクタであり、第２のコネクタ２３に接続されている第２のセンサ２５は、第２のコネクタ２３に電位治療用プローブ２７のプラグが挿入されたことを検知し、制御部１０に第２の検知信号を送信する。
【００３４】
なお、第１のコネクタ２２は電床２６専用のコネクタであり、第２のコネクタ２３は電位治療用プローブ２７専用のコネクタである。したがって、第１のコネクタ２２に電位治療用プローブ２７のプラグが挿入されたり、第２のコネクタ２３に電床２６のプラグが挿入されたりすると、第１又は第２のコネクタ２２，２３は、他のプローブのプラグが挿入されている旨のエラー信号を制御部１０に送信する。
【００３５】
操作部１１には、複数の操作ボタン５（本実施形態では６つ）及び主電源のスイッチ（図示せず）が設けられている。複数の操作ボタン５は、液晶ディスプレイ４の表示に従って、出力レベル（「高」、「中」、「低」）を設定したり、治療時間（５〜２０分）を設定したりすることができる。各操作ボタン５の上側及び下側に設けられている機能表示部６には、各操作ボタン５の各機能が表示されるようになっている。電位治療装置本体２を立てた状態で載置すると、各操作ボタン５の下側の機能表示部６に各操作ボタン５の機能が表示され（図５（Ａ）参照）、電位治療装置本体２を横に倒した状態で載置すると、各操作ボタン５の上側の機能表示部６に各操作ボタン５の機能が表示される（図５（Ｂ）参照）。
【００３６】
スイッチ１９は、電床２６又は電位治療用プローブ２７に電流を供給するための切替スイッチであり、電床２６のプラグが第１のコネクタ２２に挿入されたことを第１のセンサ２４が検知し、第１の検知信号が制御部１０（ＣＰＵ１０１）に送信されると、制御部１０（ＣＰＵ１０１）からの制御信号に従い、スイッチ１９が電床２６側（第１のトランス２０側）に切り替えられる。一方、電位治療用プローブ２７のプラグが第２のコネクタ２３に挿入されたことを第２のセンサ２５が検知し、第２の検知信号が制御部１０（ＣＰＵ１０１）に送信されると、制御部１０（ＣＰＵ１０１）からの制御信号に従い、スイッチ１９が電位治療用プローブ２７側（第２のトランス２１側）に切り替えられる。
【００３７】
電床２６は、例えば、絶縁布の中に導体布を設け、その導体布の一端に端子を介して高圧コードを接続してなるものであり、椅子の座部や足元等に設置される。電位治療用プローブ２７は、例えば、導体を備え、導体の一端に端子を介して高圧コードを接続してなるものであり、導体を治療対象部位に接触させることにより、治療対象部位に局所的に電位を印加することができる。
【００３８】
本実施形態に係る電位治療装置は、図示しない電源回路を有している。かかる電源回路は、電位治療装置１の主電源のＯＮ／ＯＦＦを実行するものであり、操作部１１にて主電源のスイッチがＯＮ又はＯＦＦにされると、その信号がＣＰＵ１０１に送信され、ＣＰＵ１０１からの信号に従って、電源回路が電位治療装置１の主電源をＯＮ又はＯＦＦにする。
【００３９】
タイマー１２は、操作部１１にて治療時間の設定がなされた場合、制御部１０（ＣＰＵ１０１）からの制御信号に基づき、設定された治療時間を計時する機能を有する。
【００４０】
受信部１３は、赤外線を受信し得る赤外線センサを有しており、リモコン２９から送信された赤外線信号を受信し、制御部１０（ＣＰＵ１０１）に送信する。これにより、リモコン２９を用いて主電源のＯＮ／ＯＦＦ、出力レベルの設定、治療時間の設定、治療スタート／ストップ等の操作をすることができる。
【００４１】
傾きセンサ２８は、電位治療装置本体２の鉛直方向に対する傾きを検知すると、制御部１０（ＣＰＵ１０１）に傾斜検知信号を送信する。このような傾きセンサ２８としては、電位治療装置本体２の鉛直方向に対する傾きを検知し得るものであれば特に限定されるものではない。
【００４２】
音声ＩＣ１４は、制御部１０（ＣＰＵ１０１）からの制御信号に基づいて、音声データを生成し、当該音声データに基づいて、スピーカ１４１から音声を出力する。例えば、ＣＰＵ１０１から送信される報知信号に基づいて、報知メッセージを音声として出力する。
【００４３】
画像ＩＣ１５は、制御部１０（ＣＰＵ１０１）からの制御信号に基づいて、画像データを生成し、当該画像データに基づいて、液晶ディスプレイ（ＬＣＤ）４に画像を表示する。例えば、画像ＩＣ１５は、制御部１０（ＣＰＵ１０１）からの操作画像生成信号に基づいて、操作用画像データを生成し、液晶ディスプレイ４に操作用画像を表示したり、制御部１０（ＣＰＵ１０１）からの反転画像生成信号に基づいて、上下方向で反転させた画像データを生成し、液晶ディスプレイ４に反転画像を表示したりする。
【００４４】
次に、本実施形態に係る電位治療装置１における画像反転処理動作について、図４に示すフローチャートを参照して説明する。
【００４５】
まず、ユーザが、操作部１１において主電源のスイッチをＯＮにすると、その信号が操作部１１からＣＰＵ１０１に送信され、ＣＰＵ１０１からの制御信号により電源回路が交流電源から給電し、電位治療装置１の主電源をＯＮにする。
【００４６】
ＣＰＵ１０１は、操作画像生成信号を画像ＩＣ１５に送信し、画像ＩＣ１５は、操作用画像データを生成し、液晶ディスプレイ４に操作用画像を表示する。例えば、ＣＰＵ１０１は、電位治療による治療方法（全身治療又は局所治療）を選択する画像を液晶ディスプレイ４に表示する（図５（Ａ）参照）。
【００４７】
ユーザが、操作部１１において操作ボタン５を押下すると、操作部１１からＣＰＵ１０１に操作信号が送信され、ＣＰＵ１０１は、かかる操作信号を受信すると、主記憶装置１０２に記憶されている制御プログラムに従って、電圧制御データ及び時間制御データを生成する。例えば、ユーザが全身治療を選択した場合（図５（Ａ）において、液晶ディスプレイ４の左上の操作ボタン５を押下した場合）、ＣＰＵ１０１は、主記憶装置１０２に記憶されている制御プログラムに従って、出力電圧の上限を９０００Ｖとする電圧制御データを生成する。
【００４８】
ＣＰＵ１０１は、生成した電圧制御データ及び時間制御データに基づいて、可変抵抗器１７を制御する。これにより、ユーザの身体に電床２６から所望の電位が印加され、ユーザに電位治療が施されることになる。
【００４９】
ここで、ユーザが、電位治療装置本体２をその背面側が底面に向くようにして横向きにに倒すと、傾きセンサ２８が、電位治療装置本体２の鉛直方向に対する傾きを検知し、ＣＰＵ１０１に傾斜検知信号を送信する（Ｓ０１）。ＣＰＵ１０１は、傾きセンサ２８からの傾斜検知信号を受信すると（Ｓ０２）、主記憶装置１０２に記憶されている指示プログラムに従って、反転画像生成信号を生成し、画像ＩＣ１５に反転画像生成信号を出力する（Ｓ０３）。
【００５０】
画像ＩＣ１５は、反転画像生成信号を受信すると（Ｓ０４）、液晶ディスプレイ４に現在表示されている画像に関する画像データを反転させた反転画像データを生成し（Ｓ０５）、当該反転画像データに基づいて、液晶ディスプレイ４に反転画像を表示する（Ｓ０６）。例えば、電位治療による治療方法を選択する画面（治療方法選択画面）が液晶ディスプレイ４に表示されている場合に電位治療装置本体２をその背面側が底面に向くようにして横向きに倒すと、液晶ディスプレイ４に反転された治療方法選択画面が表示される（図５（Ａ），（Ｂ）参照）。
【００５１】
また、ＣＰＵ１０１は、画像ＩＣ１５に反転画像生成信号を出力するとともに（Ｓ０３）、複数の操作ボタン５の機能を変更し、変更した操作ボタン５の機能を、機能表示部６に表示する。これにより、液晶ディスプレイ４に表示されている画像が反転されて表示されたときに、複数の操作ボタン５の相対的な位置関係が変更されることがないため、電位治療装置１を操作性に優れたものとすることができる。
【００５２】
以上説明したように、本実施形態に係る電位治療装置１は、傾きセンサ２８が電位治療装置本体２の鉛直方向に対する傾きを検知すると、液晶ディスプレイ４に表示されている画面表示を上下方向に反転して表示することができるため、電床２６に横になったままの状態でも、液晶ディスプレイ４の画面表示を確実に視認することができるとともに、操作性に優れたものとなっている。
【００５３】
しかも、本実施形態に係る電位治療装置１は、傾きセンサ２８による検知に基づいて、操作部１１の各操作ボタン５の機能が変更されるとともに、各操作ボタン５の上部（又は下部）に設けられている機能表示部６に表示されている各操作ボタン５の機能表示を消去し、下部（又は上部）に設けられている機能表示部６に各操作ボタン５の変更後の機能が表示されるため、液晶ディスプレイ４の画面表示が上下方向に反転して表示されたとしても、電位治療装置１の操作性が変わることはない。
【００５４】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００５５】
例えば、上記実施形態に係る電位治療装置１は、傾きセンサ２８からの傾斜検出信号に基づいて、液晶ディスプレイ４に表示される画像を上下方向に反転させるための信号を生成しているが、これに限定されるものではなく、例えば、傾きセンサ２８からの傾斜検出信号に基づいて、電位治療装置１の動作を停止するようにしてもよい。これにより、例えば、電位治療装置１による電位治療中に地震等により電位治療装置１が倒れた場合であっても、電位治療装置１の動作が停止することで、安全に電位治療装置１を使用することができる。
【００５６】
また、上記実施形態に係る電位治療装置１は、液晶ディスプレイ４の左側及び右側に複数の操作ボタン５を設けているが、これに限定されるものではなく、例えば、液晶ディスプレイ４がタッチパネルを備えるようにし、当該タッチパネルに接触することにより操作できるようにしてもよい。
【００５７】
さらに、上記実施形態においては、電床２６又は電位治療用プローブ２７を用いて電位治療を行うことのできる電位治療装置１を例に挙げて説明したが、これに限定されるものではなく、例えば、１又は２以上の低周波治療パッドを用いて低周波治療を行うことのできる低周波治療装置であってもよいし、温熱マットを用いて温熱治療装置であってもよい。また、電位治療、低周波治療、温熱治療のいずれかを行うことのできる組み合わせ電気治療装置であってもよい。
【図面の簡単な説明】
【００５８】
【図１】本発明の一実施形態に係る電位治療装置を示す概略斜視図である。
【図２】本発明の一実施形態に係る電位治療装置を示すブロック図である。
【図３】本発明の一実施形態に係る電位治療装置における制御部を示すブロック図である。
【図４】本発明の一実施形態に係る電位治療装置における反転画像表示処理を示すフローチャートである。
【図５】本発明の一実施形態に係る電位治療装置における画像の反転した状態を示すフローチャートである。
【図６】従来の電位治療装置を示す回路ブロック図である。
【符号の説明】
【００５９】
１…電位治療装置（電気治療装置）
２…電位治療装置本体（電気治療装置本体）
３…傾斜面
４…液晶ディスプレイ
５…操作ボタン
６…機能表示部
１０…制御部
１０１…ＣＰＵ
１０２…主記憶装置
１０３…補助記憶装置
１１…操作部
１２…タイマー
１３…受信部
１４…音声ＩＣ
１４１…スピーカ
１５…画像ＩＣ
１６…正弦波発生器
１７…可変抵抗器
１８…増幅器
１９…スイッチ
２０…第１のトランス
２１…第２のトランス
２２…第１のコネクタ
２３…第２のコネクタ
２４…第１のセンサ
２５…第２のセンサ
２６…電床
２７…電位治療用プローブ
２８…傾きセンサ
２９…リモコン
【図１】
2008161217.tif 000003
【図２】
2008161217.tif 000004
【図３】
2008161217.tif 000005
【図４】
2008161217.tif 000006
【図５】
2008161217.tif 000007
【図６】
2008161217.tif 000008